(57)【要約】【課題】光ファイバを移動する際に捻れが発生するのを防止する。【解決手段】第１挟持部５が固定された第１のアーム部２ａと第２挟持部６が固定された第２のアーム部２ｂとを有する移動治具部２、融着位置Ａ側の第１位置決め部３と補強位置Ｂ側の第２位置決め部４とを有する基台１を備え、第１，第２挟持部５，６は水平面にほぼ垂直な同一面に配置されるように第１，第２アーム部２ａ，２ｂに固定され、第１位置決め部３は第１，第２アーム部２ａ，２ｂの係合部との係合時に同一面に融着位置Ａが配置されるように、第２位置決め部４は第１，第２アーム部２ａ，２ｂの係合部との係合時に同一面に補強位置Ｂが配置されるように基台１に形成され、移動治具部２を融着位置Ａ側から補強位置Ｂ側への移動に際して同一面が水平面にほぼ垂直な状態で移動可能である。【選択図】        図１
2004212457.tif 000002
【特許請求の範囲】
【請求項１】
光ファイバを融着して融着部を補強する光ファイバ融着装置に搭載され、融着部の両側の光ファイバを挟持して融着位置から補強位置に移動させる光ファイバ移動機であって、
前記融着部の一方側の光ファイバを挟持する第１挟持部が固定された第１のアーム部と前記融着部の他方側の光ファイバを挟持する第２挟持部が固定された第２のアーム部とを所定間隔離間しかつ夫々の上部を連結された移動治具部、
前記移動治具部を前記融着位置側にて位置決めする第１位置決め部と前記補強位置側にて位置決めする第２位置決め部とを有する基台を備え、
前記第１，第２挟持部は水平面にほぼ垂直な同一面に配置されるように前記第１，第２アーム部に固定され、
前記第１，第２アーム部は夫々下端部に前記第１，第２位置決め部と係合する係合部を有し、
前記第１位置決め部は前記第１，第２アーム部の係合部との係合時に前記同一面に前記融着位置が配置されるように前記基台に形成され、
前記第２位置決め部は前記第１，第２アーム部の係合部との係合時に前記同一面に前記補強位置が配置されるように前記基台に形成され、
前記移動治具部を前記融着位置側から前記補強位置側に移動するに際して前記同一面が水平面にほぼ垂直な状態で移動可能であることを特徴とする光ファイバ移動機。
【請求項２】
移動冶具部を第１，第２位置決め部上で上下移動可能、かつ前記第１位置決め部上方から前記第２位置決め部上方へ移動可能な冶具自動移動部を有することを特徴とする請求項１に記載の光ファイバ移動機。
【請求項３】
第１，第２挟持部は光ファイバを挟持可能な２つの挟持片をそれぞれ有し、前記２つの挟持片の一方が磁石部を有し他方が磁性材であることを特徴とする請求項１又は２に記載の光ファイバ移動機。
【発明の詳細な説明】
【０００１】
【発明の属する技術分野】
この発明は光ファイバの移動機に関するものであり、詳細には一方と他方の光ファイバそれぞれの端部を突き合わせて融着し、融着後にその融着部分を補強する光ファイバ融着装置に搭載され、融着位置から補強位置へと融着した光ファイバを移動させる際に融着部分近傍に捩れが生じないように光ファイバを移動させる光ファイバ移動機に関するものである。
【０００２】
【従来の技術】
従来の光ファイバ移動機においては、融着した光ファイバを挟持して融着位置から補強位置へ移動させる際に、回動機構により移動させる構成としていた。（例えば、特許文献１参照）
【０００３】
【特許文献１】
特開平６−１０９９４６号公報（第２−４頁、第２図，第５図）
【０００４】
【発明が解決しようとする課題】
従来の光ファイバ移動機は、光ファイバを融着する融着作業位置から融着部分に補強のための保護部材を取付ける補強作業位置に移動する際に、回動アームに設けた把持部により融着部分の両端を把持し、回動アームを回動させて光ファイバの融着部分を融着位置から補強位置へ移動する構成であるので、その移動の際に光ファイバも回動アームと共に回動し、光ファイバの余長部分に回動による応力が発生し、その影響により融着部分或いはその近傍に捻れが生じてしまい、その捻れを内在したまま保護部材により補強固定されると、その光ファイバを用いて光通信を行った場合に、その融着／補強部分近傍で通信特性が劣化するという問題点があった。また、余長部分に蓄積される応力の影響を排除するため把持部の把持力を大きくすると、その把持力により光ファイバに生じる歪又はその両側の把持力を均一に保つのが困難であるため、一方と他方の把持力の差により光ファイバに歪や捻れが生じてしまい、その歪や捻れが内在したまま融着部分を補強固定されるので同様に通信特性が劣化するという問題点があった。
【０００５】
この発明は、以上のような問題点を解消するために成されたもので、融着した光ファイバを融着位置から補強位置へ移動する際に、光ファイバの融着部分近傍に歪や捻れなどが発生するのを防止し、融着／補強部分での通信特性の劣化を防止できる光ファイバ融着装置に搭載される光ファイバ移動機を提供することを目的とする。
【０００６】
【課題を解決するための手段】
この発明の光ファイバ移動機は、光ファイバを融着して融着部を補強する光ファイバ融着装置に搭載され、融着部の両側の光ファイバを挟持して融着位置から補強位置に移動させる光ファイバ移動機であって、前記融着部の一方側の光ファイバを挟持する第１挟持部が固定された第１のアーム部と前記融着部の他方側の光ファイバを挟持する第２挟持部が固定された第２のアーム部とを所定間隔離間しかつ夫々の上部を連結された移動治具部、前記移動治具部を前記融着位置側にて位置決めする第１位置決め部と前記補強位置側にて位置決めする第２位置決め部とを有する基台を備え、前記第１，第２挟持部は水平面にほぼ垂直な同一面に配置されるように前記第１，第２アーム部に固定され、前記第１，第２アーム部は夫々下端に前記第１，第２位置決め部と係合する係合部を有し、前記第１位置決め部は前記第１，第２アーム部の係合部との係合時に前記同一面に前記融着位置が配置されるように前記基台に形成され、前記第２位置決め部は前記第１，第２アーム部の係合部との係合時に前記同一面に前記補強位置が配置されるように前記基台に形成され、前記移動治具部を前記融着位置側から前記補強位置側に移動するに際して前記同一面が水平面にほぼ垂直な状態で移動可能であるものである。
【０００７】
【発明の実施の形態】
実施の形態１．
この発明による光ファイバ移動機の一実施の形態を説明する。図１は実施の形態１による光ファイバ移動機を示す平面図、図２は図１に示す光ファイバ移動機の側面図、図３は図２に示す光ファイバ移動冶具の詳細説明図である。図１又は図２において、基台１は光ファイバ融着装置３０に取り付けられて固定されており、前後方向に長手の側面枠１ａ，１ｂには光ファイバ移動冶具２を位置決めする第１，第２位置決め部３，４がそれぞれ設けられている。第１，第２位置決め部３，４は側面枠１ａ，１ｂに穴部を設けることにより上方に開口するように形成されている。光ファイバ移動冶具２は丸棒を下方に開口した略逆Ｕ字状に曲げ加工したもので、光ファイバの融着部分から十分離れた位置にい光ファイバを挟持できるよう所定間隔離間させて曲げ加工し、使用時に下方に長手となる第１，第２アーム部２ａ，２ｂと、それらの上部を連結する連結片２ｃを有し、第１，第２アーム部２ａ，２ｂに一方と他方の光ファィバ４０，４１を挟持する第１，第２挟持部５，６が取付けられている。この第１，第２挟持部５，６は水平面に対して垂直な同一面Ｓに配置されるように第１，第２アーム部２ａ，２ｂに取付けられている。光ファイバ移動機７は符号１〜６を付した構成を含む。
【０００８】
図３には、光ファイバ移動治具２の正面図及び側面図が示されており、第１，第２アーム部２ａ，２ｂの下端には第１，第２位置決め部３，４に挿入し易いようにテーパが形成された係合部２ｄを設けられている。また第１，第２挟持部５，６はクリップ状に形成され、常時閉となるようにバネ（不図示）により付勢されている。
【０００９】
次に光ファイバ移動機７の動作を説明する。基台１はその位置を調整されて予め光ファイバ融着装置３０に取付固定されている。すなわち、光ファイバ移動冶具２の第１，第２アーム部２ａ，２ｂの下端部を第１位置決め部３に挿入した際に、融着位置Ａ（正確には光ファイバ４０，４１の融着部）が挟持部５，６と同一面Ｓに配置されるように、かつ第１，第２アーム部２ａ，２ｂの下端部を第２位置決め部４に挿入した際に補強位置Ｂが上記同一面Ｓに配置されるように基台１を光ファイバ融着装置３０に取付固定する。
【００１０】
つぎに、光ファイバの融着作業終了後、光ファイバ（４０，４１）が融着位置Ａにセットされたままの状態で、第１，第２アーム部２ａ，２ｂが第１位置決め部３に係合するように光ファイバ移動治具２を上方から降下させる。この際、クリップ状の第１，第２挟持部５，６を開口させておく。そして、係合部２ｄを位置決め部３にそれぞれ挿入して、光ファイバ移動冶具２を基台１に取り付け、第１，第２挟持部５，６により光ファイバ４０，４１を挟持する。
【００１１】
つぎに、光ファイバ移動冶具２を上方に引き上げて第１位置決め部３との係合を解除し、ほぼその解除した位置から第１，第２挟持部５，６が配置された面Ｓが水平面に対してほぼ垂直な状態を維持しつつ、平行に光ファイバ移動冶具２を手前に移動させ、第１，第２アーム部２ａ，２ｂを第２位置決め部４の上方真上に配置する。そして、光ファイバ移動冶具２を降下させ、第１，第２アーム部２ａ，２ｂの係合部２ｄを第２位置決め部４に挿入係合させる。これにより、光ファイバ４０，４１の融着部分が保護部材を取り付けるための補強位置Ｂに配置される。
【００１２】
つぎに、第１，第２挟持部５，６よりもそれぞれ融着部側に位置するように光ファイバ融着装置３０に搭載された光ファイバ挟持部（不図示）により光ファイバ４０，４１をそれぞれ挟持させる
【００１３】
以上のように、融着後の光ファイバ４０，４１を融着位置Ａから補強位置Ｂへ移動させた後、第１，第２挟持部５，６を開口させつつ光ファイバ移動治具２を上方に引き上げ、後工程に影響しない位置に退避させる。その後、補強位置Ｂに配置された光ファイバの融着部は保護部材を取付けられて補強される。
【００１４】
なお、この実施の形態１では、第１，第２位置決め部３，４を穴部とし、光ファイバ移動冶具部２をそれに挿入する構成としたが、その逆に第１，第２位置決め部を上方に突出した形状とし、第１，第２アーム部２ａ，２ｂの下端部に穴部を形成して、それらが係合し位置決めできるようにしても良い。また、第１，第２挟持部５，６をバネにより常時閉になるように付勢する構造としたが、クリップ部分の一方に磁石部を用い、他方を磁性材として磁力により挟持する構成としても良い。また、光ファイバ移動冶具２をハンドリング動作としたが、自動的に移動する構成としても良い。
【００１５】
この実施の形態１による光ファイバ移動機７によれば、融着部の一方側の光ファイバを挟持する第１挟持部５が固定された第１のアーム部２ａと融着部の他方側の光ファイバを挟持する第２挟持部６が固定された第２のアーム部２ｂとを所定間隔離間しかつ夫々の上部を連結された光ファイバ移動治具部２、光ファイバ移動治具部２を融着位置Ａ側にて位置決めする第１位置決め部３と補強位置Ｂ側にて位置決めする第２位置決め部４とを有する基台１とを備え、第１，第２挟持部５，６は水平面にほぼ垂直な同一面Ｓに配置されるように第１，第２アーム部２ａ，２ｂに固定され、第１，第２アーム部２ａ，２ｂは夫々下端に第１，第２位置決め部３，４と係合する係合部を有し、第１位置決め部３は第１，第２アーム部２ａ，２ｂの係合部との係合時に同一面Ｓに融着位置Ａが配置されるように基台１に形成され、第２位置決め部４は第１，第２アーム部２ａ，２ｂの係合部との係合時に同一面Ｓに補強位置Ｂが配置されるように基台１に形成され、光ファイバ移動治具部２を融着位置Ａ側から補強位置Ｂ側に移動するに際して同一面Ｓが水平面にほぼ垂直な状態で移動可能であるので、光ファイバを挟持して移動させる際に、融着部分近傍に不要な歪や捻れが生じるのを防止でき、融着部分を保護部材にて固定補強する際に歪や捻れが残留することがなく、その融着した光ファイバを光通信に用いた場合に、融着部分近傍により光通信の特性が劣化するのを防止することができる。
【００１６】
また、第１，第２挟持部５，６が磁力により光ファイバ４０，４１を挟持する構成とすれば、光ファイバの挟持時に光ファイバに不要な力がかかるのを防止でき、歪の発生をより抑制できる。
【００１７】
実施の形態２．
この発明の光ファイバ移動機の他の実施の形態を説明する。図４は実施の形態２による光ファイバ移動機を示す斜視図である。図において、図１乃至図３と同一符号は同一又は相当部分を示し説明を省略する。図において、光ファイバ移動機７ａは、図１に示す光ファイバ移動機７と同様に符号１〜４を付した構成を有するとともに、光ファイバ移動治具２を自動的に移動する治具移動機構部８と、光ファイバを自動的に挟持可能な第１，第２挟持部９，１０を有している。
【００１８】
また、治具移動機構部８は基台１に固定されたベース部８ａと、このベース部８ａに固定された上下シリンダー部８ｂと、この上下シリンダー部８ｂのシンリンダー部分の先端に固定されて上下移動するテーブル部８ｃと、このテーブル８ｃの左右に夫々固定された前後シリンダー部８ｄ，８ｅとを有している。前後シリンダー部８ｄ，８ｅのシリンダー部分の先端は光ファイバ移動治具部２に固定されており、シリンダー部８ｄ，８ｅの動作に伴い光ファイバ移動治具部２を前後に移動させることができる。
【００１９】
また、第１，第２挟持部９，１０はエアーシリンダ部を有し、空気圧により開閉可能に形成され、自動的に光ファイバを挟持または離すことができる。
【００２０】
つぎに、この光ファイバ移動機７ａの動作を説明する。基台１は図１に示すものと同様に第１，第２位置決め部３，４の位置を調整して光ファイバ融着装置３０に固定されているまた、前後シリンダー部８ｄ，８ｅはシリンダー部分を収納しており、光ファイバ移動治具部２は融着位置Ａよりも後方の退避位置に配置されている。
【００２１】
つぎに、光ファイバの融着作業終了後、操作者が移動開始スイッチ（不図示）を押すと、治具移動機構制御回路（不図示）が前後シリンダー部８ｄ，８ｅを動作させ、そのシリンダー部分を前方に排出させる。そして、治具移動機構制御回路は第１，第２アーム部２ａ，２ｂが第１位置決め部３の上方に達する位置でセンサー（不図示）の検出信号を受け、前後シリンダー部８ｄ，８ｅのシリンダー部排出動作を停止させる。そして治具移動機構制御回路は上下シリンダー部８ｂを動作させ、テーブル８ｃを降下させる。これにより、前後シリンダー部８ｄ，８ｅと共に光ファイバ移動治具部２が降下する。そして治具移動機構制御回路は、第１，第２アーム部２ａ，２ｂと第１位置決め部３とが係合した位置で、センサー（不図示）の検出信号を受け、上下シリンダー部８ｂの降下動作を停止させる。
【００２２】
その後、治具移動機構制御回路（不図示）が第１，第２挟持部９，１０を動作させ、光ファイバを挟持させる。この光ファイバの挟持状態は不図示のセンサーにより監視されており、そのセンサーからの検出信号を治具移動機構制御回路が受けると、上下シリンダー部８ｂを動作させてテーブル８ｃを上昇させる。これにより、光ファイバを挟持とた光ファイバ移動治具部２が上昇し、第１，第２アーム部２ａ，２ｂと第１位置決め部３との係合が解除される。上下シリンダー部８ｂはシリンダー部分が上昇端の位置で停止する。
【００２３】
つぎに、治具移動機構制御回路（不図示）は前後シリンダー部８ｄ，８ｅを動作させて、そのシリンダー部分をさらに前方に排出させ、第１，第２アーム部２ａ，２ｂが第２位置決め部４の上方に達する位置でセンサー（不図示）の検出信号を受け、前後シリンダー部８ｄ，８ｅのシリンダー部分の排出動作を停止させる。そして治具移動機構制御回路は上下シリンダー部８ｂを動作させ、テーブル８ｃを降下させる。これにより、前後シリンダー部８ｄ，８ｅと共に光ファイバ移動治具部２が降下する。そして治具移動機構制御回路は、第１，第２アーム部２ａ，２ｂと第２位置決め部４とが係合した位置で、センサー（不図示）の検出信号を受け、上下シリンダー部８ｂの降下動作を停止させる。
【００２４】
これにより、光ファイバの融着部分が補強位置Ｂに配置される。つぎに操作者が光ファイバ融着装置３０に搭載された光ファイバ挟持部（不図示）により光ファイバ４０，４１をそれぞれ挟持させると、その挟持状態が治具移動機構部８のセンサー（不図示）により検出され、検出信号が治具移動機構制御回路（不図示）に出力される。
【００２５】
つぎに、治具移動機構制御回路（不図示）が検出信号を受けて、第１，第２挟持部９，１０を動作させて光ファイバを離し、上下シリンダー部８ｂを動作させてテーブル８ｃを上昇させる。これにより、前後シリンダー部８ｄ，８ｅと共に光ファイバ移動治具部２が上昇し、第１，第２アーム部２ａ，２ｂと第２位置決め部４との係合が解除される。上下シリンダー部８ｂはシリンダー部分が上昇端の位置で停止する。そして、治具移動機構制御回路は前後シリンダー部８ｄ，８ｅを動作させてシリンダー部分を収納させ、光ファイバ移動治具部２を退避位置に配置する。
【００２６】
以上のように、この実施の形態２による光ファイバ移動機７ａによれば、図１に示す光ファイバ移動機７と同様に、光ファイバを回動することなく、上下移動と平行移動により光ファイバを融着位置から補強位置に配置することができるので、光ファイバを挟持して移動させる際に、融着部分近傍に不要な歪や捻れが生じるのを防止でき、融着部分を保護部材にて固定補強する際に歪や捻れが残留することがなく、その融着した光ファイバを光通信に用いた場合に、融着部分近傍により光通信の特性が劣化するのを防止することができる。さらに自動的に移動させることができるので、作業の信頼性を向上させることができる。
【００２７】
【発明の効果】
この発明の光ファイバ移動機は、融着部の一方側の光ファイバを挟持する第１挟持部が固定された第１のアーム部と融着部の他方側の光ファイバを挟持する第２挟持部が固定された第２のアーム部とを所定間隔離間しかつ夫々の上部を連結された移動治具部、移動治具部を前記融着位置側にて位置決めする第１位置決め部と補強位置側にて位置決めする第２位置決め部とを有する基台を備え、第１，第２挟持部は水平面にほぼ垂直な同一面に配置されるように第１，第２アーム部に固定され、第１，第２アーム部は夫々下端部に第１，第２位置決め部と係合する係合部を有し、第１位置決め部は第１，第２アーム部の係合部との係合時に同一面に融着位置が配置されるように基台に形成され、第２位置決め部は第１，第２アーム部の係合部との係合時に同一面に補強位置が配置されるように基台に形成され、移動治具部を融着位置側から補強位置側に移動するに際して同一面が水平面にほぼ垂直な状態で移動可能であるので、光ファイバを挟持して移動させる際に、融着部分近傍に不要な歪や捻れが生じるのを防止でき、融着した光ファイバを光通信に用いた場合に融着部分近傍により光通信の特性が劣化するのを防止することができる。
【００２８】
【図面の簡単な説明】
【図１】この発明の実施の形態１による光ファイバ移動機を示す平面図である。
【図２】図１に示す光ファイバ移動機の側面図である。
【図３】図２に示す光ファイバ移動冶具部を示す説明図である。
【図４】この発明の実施の形態２による光ファイバ移動機を示す説明図である。
【符号の説明】
１  基台、  ２  光ファイバ移動冶具部、  ２ａ，２ｂ  第１，第２アーム部、  ２ｃ  連結片、  ２ｄ  係合部、  ３，４  第１，第２位置決め部、  ５，６  第１，第２挟持部、７，７ａ  光ファイバ移動機、８  治具移動機構部、８ａ  ベース部、  ８ｂ  上下シリンダー部、８ｃ  テーブル部、  ８ｄ，８ｅ  前後シリンダー部、  ９，１０  第１，第２挟持部。
【図１】
2004212457.tif 000003
【図２】
2004212457.tif 000004
【図３】
2004212457.tif 000005
【図４】
2004212457.tif 000006